(57)【特許請求の範囲】
【請求項１】
通信エンティティであって、
ワイヤレスデバイスが第１のアクセスゲートウェイ及び第２のアクセスゲートウェイへの接続のために複数のセッションに対して単一のインターネットプロトコル（ＩＰ）アドレスを使用しようとしていることを示すメッセージを他の通信エンティティから受信する手段と、
前記第１および第２のアクセスゲートウェイとの間での前記ワイヤレスデバイスの前記複数のセッションのそれぞれに対応する複数のＩＰフローの分配に関連する情報を前記他の通信エンティティに送る手段と、
を備え、
前記通信エンティティはポリシーチャージングルール機能であり、
前記他の通信エンティティはパケットデータネットワークゲートウェイであり、
前記送る手段は、前記パケットデータネットワークゲートウェイにＩＰ接続アクセスネットワークメッセージへの応答を送信する手段を備え、
前記応答は、前記複数のＩＰフローの分配についての情報を含み、
前記複数のＩＰフローの分配についての情報は、前記複数のセッションのうちの１つに対応するＩＰフローが前記第１のアクセスゲートウェイに割り当てられ、残りのセッションのうちの少なくとも１つに対応するＩＰフローが前記第２のアクセスゲートウェイに割り当てられることを示す、通信エンティティ。
【請求項２】
通信エンティティであって、
ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティから受信する手段と、
前記第１および第２のアクセスゲートウェイとの間での前記ワイヤレスデバイスの前記複数のセッションのそれぞれに対応する複数のＩＰフローの分配に関連する情報を前記他の通信エンティティに送る手段と、前記複数のＩＰフローの分配として、前記複数のセッションのうちの１つに対応するＩＰフローを前記第１のアクセスゲートウェイに割り当て、残りのセッションのうちの１つに対応するＩＰフローを前記第２のアクセスゲートウェイに割り当てることが決定される、
を備える、通信エンティティ。
【請求項３】
前記通信エンティティはパケットデータネットワークゲートウェイであり、
前記他の通信エンティティは前記第２のアクセスゲートウェイであり、
前記送る手段は、前記第２のアクセスゲートウェイへプロキシバインディング肯定応答メッセージを送る手段を備え、
前記プロキシバインディング肯定応答メッセージは、前記第２のアクセスゲートウェイに移動されるＩＰフローについての識別情報を含む、
請求項２の通信エンティティ。
【請求項４】
前記通信エンティティは前記第２のアクセスゲートウェイであり、
前記他の通信エンティティは前記ワイヤレスデバイスであり、
前記送る手段は、前記ワイヤレスデバイスへ、ルータ広告メッセージ、ネイバー広告メッセージ、および動的ホスト構成プロトコルメッセージのうちの少なくとも１つを送る手段を備え、
前記ルータ広告／ネイバー広告／動的ホスト構成プロトコルメッセージは、前記第２のアクセスゲートウェイへ移動されるＩＰフローについての識別情報を含む、
請求項２の通信エンティティ。
【請求項５】
前記通信エンティティはポリシーチャージングルール機能であり、
前記他の通信エンティティはポリシー制御およびチャージング機能が配備された前記第２のアクセスゲートウェイであり、
前記送る手段は、前記第２のアクセスゲートウェイにサービス品質ルールを送る手段を備え、
前記サービス品質ルールは、前記第２のアクセスゲートウェイへ移動されるＩＰフローに関連する、
請求項２の通信エンティティ。
【請求項６】
前記通信エンティティは前記第２のアクセスゲートウェイであり、
前記他の通信エンティティは前記ワイヤレスデバイスであり、
前記送る手段は、前記ワイヤレスデバイスへ、ルータ広告メッセージ、ネイバー広告メッセージおよび動的ホスト構成プロトコルメッセージのうちの少なくとも１つを送る手段を備え、
前記ルータ広告／ネイバー広告／動的ホスト構成プロトコルメッセージは、前記ワイヤレスデバイスによって追加されるＩＰフローについての情報を含む、
請求項２の通信エンティティ。
【請求項７】
通信エンティティであって、
ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティから受信し、前記第１および第２のアクセスゲートウェイとの間での前記ワイヤレスデバイスの前記複数のセッションのそれぞれに対応する複数のＩＰフローの分配に関連する情報を前記他の通信エンティティに送るように構成された回路、
を備え、
前記通信エンティティはポリシーチャージングルール機能であり、
前記他の通信エンティティはパケットデータネットワークゲートウェイであり、
前記送ることは、前記パケットデータネットワークゲートウェイにＩＰ接続アクセスネットワークメッセージへの応答を送信することを備え、
前記応答は、前記複数のＩＰフローの分配についての情報を含み、
前記ＩＰフローの分配についての情報は、前記複数のセッションのうちの１つに対応するＩＰフローが前記第１のアクセスゲートウェイに割り当てられ、残りのセッションのうちの１つに対応するＩＰフローが前記第２のアクセスゲートウェイに割り当てられることを示す、通信エンティティ。
【請求項８】
通信エンティティであって、
ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティから受信し、前記第１および第２のアクセスゲートウェイとの間での前記ワイヤレスデバイスの前記複数のセッションのそれぞれに対応する複数のＩＰフローの分配に関連する情報を前記他の通信エンティティに送るように構成された回路、
を備え、
前記複数のＩＰフローの分配は、前記複数のセッションのうちの１つに対応するＩＰフローを前記第１のアクセスゲートウェイに割り当て、残りのセッションのうちの１つに対応するＩＰフローを前記第２のアクセスゲートウェイに割り当てるように決定される、通信エンティティ。
【請求項９】
前記通信エンティティはパケットデータネットワークゲートウェイであり、
前記他の通信エンティティは前記第２のアクセスゲートウェイであり、
前記送ることは、前記第２のアクセスゲートウェイへ、プロキシバインディング肯定応答メッセージを送ることを含み、
前記プロキシバインディング肯定応答メッセージは、前記第２のアクセスゲートウェイに移動されるＩＰフローについての識別情報を含む、
請求項８の通信エンティティ。
【請求項１０】
前記通信エンティティは前記第２のアクセスゲートウェイであり、
前記他の通信エンティティは前記ワイヤレスデバイスであり、
前記送ることは、前記ワイヤレスデバイスへ、ルータ広告メッセージ、ネイバー広告メッセージ、および動的ホスト構成プロトコルメッセージのうちの少なくとも１つを送ることを含み、
前記ルータ広告／ネイバー広告／動的ホスト構成プロトコルメッセージは、前記第２のアクセスゲートウェイに移動されるＩＰフローについての識別情報を含む、
請求項８の通信エンティティ。
【請求項１１】
前記通信エンティティはポリシーチャージングルール機能であり、
前記他の通信エンティティは、ポリシー制御およびチャージング機能が配備された前記第２のアクセスゲートウェイであり、
前記送ることは、前記第２のアクセスゲートウェイへサービス品質ルールを送ることを含み、
前記サービス品質ルールは、前記第２のアクセスゲートウェイに移動されるＩＰフローに関連する、
請求項８の通信エンティティ。
【請求項１２】
前記通信エンティティは前記第２のアクセスゲートウェイであり、
前記他の通信エンティティは前記ワイヤレスデバイスであり、
前記送ることは、前記ワイヤレスデバイスに、ルータ広告メッセージ、ネイバー広告メッセージおよび動的ホスト構成プロトコルメッセージのうちの少なくとも１つを送ることを備え、
前記ルータ広告／ネイバー広告／動的ホスト構成プロトコルメッセージは、前記ワイヤレスデバイスによって追加されるＩＰフローの情報を含む、
請求項８の通信エンティティ。
【請求項１３】
マルチインタフェース通信環境における通信エンティティによって実装される、ＩＰフローモビリティのための方法であって、
ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティに通知することと、
前記第１および第２のアクセスゲートウェイとの間での前記ワイヤレスデバイスの前記複数のセッションのそれぞれに対応する複数のＩＰフローの分配に関係する情報を前記他の通信エンティティに送ることと、
を含み、
前記通信エンティティはポリシーチャージングルール機能であり、
前記他の通信エンティティはパケットデータネットワークゲートウェイであり、
前記送る手段は、前記パケットデータネットワークゲートウェイにＩＰ接続アクセスネットワークメッセージへの応答を送信する手段を備え、
前記応答は、前記複数のＩＰフローの分配についての情報を含み、
前記複数のＩＰフローの分配についての情報は、前記複数のセッションのうちの１つに対応するＩＰフローが前記第１のアクセスゲートウェイに割り当てられ、残りのセッションのうちの１つに対応するＩＰフローが前記第２のアクセスゲートウェイに割り当てられることを示す、方法。
【請求項１４】
マルチインタフェース通信環境における通信エンティティによって実装される、ＩＰフローモビリティのための方法であって、
ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティに通知することと、
前記第１および第２のアクセスゲートウェイとの間での前記ワイヤレスデバイスの前記複数のセッションのそれぞれに対応する複数のＩＰフローの分配に関係する情報を前記他の通信エンティティに送ることと、前記複数のＩＰフローの分配として、前記複数のセッションのうちの１つに対応するＩＰフローを前記第１のアクセスゲートウェイに割り当て、残りのセッションのうちの１つに対応するＩＰフローを前記第２のアクセスゲートウェイに割り当てることが決定される、
を含む、方法。
【請求項１５】
前記通信エンティティはパケットデータネットワークゲートウェイであり、
前記他の通信エンティティは前記第２のアクセスゲートウェイであり、
前記送ることは、前記第２のアクセスゲートウェイにプロキシバインディング肯定応答メッセージを送ることを備え、
前記プロキシバインディング肯定応答メッセージは、前記第２のアクセスゲートウェイに移動されつつあるＩＰフローの識別情報を含む、
請求項１４の方法。
【請求項１６】
前記通信エンティティは前記第２のアクセスゲートウェイであり、
前記他の通信エンティティは前記ワイヤレスデバイスであり、
前記送信することは、前記ワイヤレスデバイスに、ルータ広告メッセージ、ネイバー広告メッセージ、および動的ホスト構成プロトコルメッセージのうちの少なくとも１つを送ることを備え、
前記ルータ広告／ネイバー広告／動的ホスト構成プロトコルメッセージは、前記第２のアクセスゲートウェイに移動されるＩＰフローの識別情報を含む、
請求項１４の方法。
【請求項１７】
前記通信エンティティはポリシーチャージングルール機能であり、
前記他の通信エンティティは、ポリシーチャージング機能が配備された前記第２のアクセスゲートウェイであり、
前記送信することは、前記第２のアクセスゲートウェイにサービス品質ルールを送ることを備え、
前記サービス品質ルールは、前記第２のアクセスゲートウェイに移動されるＩＰフローに関連する、
請求項１４の方法。
【請求項１８】
前記通信エンティティは前記第２のアクセスゲートウェイであり、
前記他の通信エンティティは前記ワイヤレスデバイスであり、
前記送ることは、前記ワイヤレスデバイスへ、ルータ広告メッセージ、ネイバー広告メッセージおよび動的ホスト構成プロトコルメッセージのうちの少なくとも１つを送ることを備え、
前記ルータ広告／ネイバー広告／動的ホスト構成プロトコルメッセージは、前記ワイヤレスデバイスによって追加されるＩＰフローの情報を含む、
請求項１４の方法。
【請求項１９】
マルチインタフェース通信環境における通信エンティティのためのコンピュータプログラムであって、前記コンピュータプログラムは命令を有し、前記命令は、
コンピュータに、ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティに通知させるコードと、
コンピュータに、前記第１および第２のアクセスゲートウェイとの間での前記ワイヤレスデバイスの前記複数のセッションのそれぞれに対応する複数のＩＰフローの分配に関係する情報を前記他の通信エンティティに送信させるコードと、
を含み、
前記通信エンティティはポリシーチャージングルール機能であり、
前記他の通信エンティティはパケットデータネットワークゲートウェイであり、
前記コンピュータに送信させるコードは、コンピュータに、前記パケットデータネットワークゲートウェイにＩＰ接続アクセスネットワークメッセージへの応答を送信させるためのコードを備え、
前記応答は、前記複数のＩＰフローの分配についての情報を含み、
前記複数のＩＰフローの分配についての情報は、前記複数のセッションのうちの１つに対応するＩＰフローが前記第１のアクセスゲートウェイに割り当てられ、残りのセッションのうちの１つに対応するＩＰフローが前記第２のアクセスゲートウェイに割り当てられることを示す、
コンピュータプログラム。
【請求項２０】
マルチインタフェース通信環境における通信エンティティのためのコンピュータプログラムであって、前記コンピュータプログラムは命令を有し、前記命令は、
コンピュータに、ワイヤレスデバイスが第１のアクセスゲートウェイ及び第２のアクセスゲートウェイへの接続のために複数のセッションに対し単一のインターネットプロトコル（ＩＰ）アドレスを使用しようとしていることを示すメッセージを他の通信エンティティに通知させるコードと、
コンピュータに、前記第１および第２のアクセスゲートウェイとの間での前記ワイヤレスデバイスの前記複数のセッションのそれぞれに対応する複数のＩＰフローの分配に関係する情報を前記他の通信エンティティに送信させるコードと、前記複数のＩＰフローの分配として、前記複数のセッションのうちの１つに対応するＩＰフローを前記第１のアクセスゲートウェイに割り当て、残りのセッションのうちの１つに対応するＩＰフローを前記第２のアクセスゲートウェイに割り当てることが決定される、
を含む、コンピュータプログラム。
【請求項２１】
前記通信エンティティはパケットデータネットワークゲートウェイであり、
前記他の通信エンティティは前記第２のアクセスゲートウェイであり、
前記コンピュータに送信させるコードは、コンピュータに前記第２のアクセスゲートウェイへプロキシバインディング肯定応答メッセージを送信させるコードを含み、
前記プロキシバインディング肯定応答メッセージは、前記第２のアクセスゲートウェイに移動されるＩＰフローの識別情報を含む、
請求項２０のコンピュータプログラム。
【請求項２２】
前記通信エンティティは前記第２のアクセスゲートウェイであり、
前記他の通信エンティティは前記ワイヤレスデバイスであり、
前記コンピュータに送信させるコードは、コンピュータに、前記ワイヤレスデバイスへ、ルータ広告メッセージ、ネイバー広告メッセージ、および動的ホスト構成プロトコルメッセージのうちの少なくとも１つを送信させるコードを含み、
前記ルータ広告／ネイバー広告／動的ホスト構成プロトコルメッセージは、前記第２のアクセスゲートウェイに移動されるＩＰフローの識別情報を含む、
請求項２０のコンピュータプログラム。
【請求項２３】
前記通信エンティティはポリシーチャージングルール機能であり、
前記他の通信エンティティは、ポリシー制御およびチャージング機能が配備された前記第２のアクセスゲートウェイであり、
前記コンピュータに送信させるコードは、コンピュータに、前記第２のアクセスゲートウェイへサービス品質ルールを送信させるコードを含み、
前記サービス品質ルールは、前記第２のアクセスゲートウェイに移動されるＩＰフローに関連する、
請求項２２のコンピュータプログラム。
【発明の詳細な説明】
【優先権の主張】
【０００１】
関連出願の相互参照
本出願は、すべてが参照により本明細書に組み込まれる、２００８年８月２２日に出願された「Proxy Mobile Internet Protocol (PMIP) In A Multi-Interface Communication Environment」と題する米国仮出願第６１／０９１，２８０号、および２００８年８月２２日に出願された「Multi-Homing Attachment And Proxy Mobil Internet Protocol (PMIP)」と題する米国仮出願第６１／０９１，２８３号に関連し、それらからの優先権を主張する。
【技術分野】
【０００２】
本開示は、一般にワイヤレス通信システムに関する。より詳細には、本開示は、モバイルＩＰ、プロキシモバイルＩＰなど、モビリティを可能にすることに関係する通信プロトコルを実装するワイヤレス通信システムに関する。
【背景技術】
【０００３】
ワイヤレス通信システムは、世界中の多くの人々が通信するための重要な手段になっている。ワイヤレス通信システムは、多数のモバイルデバイスに通信を与えることができ、各モバイルデバイスは基地局によってサービスされる。
【０００４】
ＩＥＴＦ（Internet Engineering Task Force）によって公表されたモバイルＩＰは、モバイルデバイスユーザが、不変のＩＰアドレスを維持しながら、あるネットワークから別のネットワークに移動することを可能にするように設計された通信プロトコルである。モバイルＩＰは、ユーザがそれらのモバイルデバイスを複数のアクセスネットワークにまたがって持ち運ぶワイヤレス環境において認められる。たとえば、モバイルＩＰは、たとえば、IP over wireless  ＬＡＮ（ＷＬＡＮ）、ＨＲＰＤ（High Rate Packet Data）、（ＬＴＥ（Long Term Evolution）など、重複するワイヤレスシステム間でローミングする間に使用される。モバイルＩＰのコンテキストでは、モバイルデバイスはモバイルノードと呼ばれることがある。
【０００５】
モバイルＩＰの最新のバージョンは、ＩＥＴＦのＲＦＣ（Request for Comments）３７７５に記載されているモバイルＩＰバージョン６（ＭＩＰｖ６）である。ＭＩＰｖ６によれば、モバイルノードが、あるアクセスネットワークを離れて（ここでは新規アクセスネットワークと呼ぶ）別のアクセスネットワークに接続するとき、新規アクセスネットワークから気付（care-of）アドレスを受信する。次いで、モバイルノードは、インターネット中の固定の場所にある（たとえば、当該モバイルノードのホームネットワークにある）そのホームエージェントにバインディング更新（binding update）を送信する。バインディング更新により、ホームエージェントは、モバイルノードのホームアドレスをその現在の気付けアドレスにバインドする。モバイルノードのホームアドレスに送信されたパケットはホームエージェントにルーティングされ、ホームエージェントはそれらのパケットをモバイルノードの気付けアドレスにトンネリングする。
【０００６】
プロキシＭＩＰｖ６（ＰＭＩＰｖ６）は、モバイルノードがシグナリングに関与しないＭＩＰｖ６の変形態である。ＰＭＩＰｖ６は、モバイルノードがあるモビリティアクセスゲートウェイから次へと移動するとき、モバイルノードのためにプロキシＭＩＰｖ６シグナリングに対してネットワーク中のモビリティアクセスゲートウェイを使用する。モバイルノードのホームネットワークは、ＭＩＰｖ６のホームエージェントと同様であるローカルモビリティアンカー（local mobility anchor）を含む。モバイルノードは、あるアクセスネットワークを離れるとき、新規アクセスネットワークおよび対応するモビリティアクセスゲートウェイに接続する。新規モビリティアクセスゲートウェイはローカルモビリティアンカーにプロキシバインディング更新を送信し、ローカルモビリティアンカーは、モバイルノードのホームアドレスをその現在のモビリティアクセスゲートウェイにバインドする。モバイルノードのホームアドレスに送信されたパケットはローカルモビリティアンカーにルーティングされ、ローカルモビリティアンカーはそれらのパケットをモビリティアクセスゲートウェイにトンネリングする。次いで、モビリティアクセスゲートウェイはパケットをモバイルノードに配信する。
【図面の簡単な説明】
【０００７】
【図１】本明細書で開示する方法を利用することができる通信システムを示す図。
【図２】マルチインタフェース通信環境においてＩＰフローモビリティを可能にするための１つの可能なシナリオにおけるＵＥと様々な通信エンティティとの間のメッセージおよびデータのフローを示す図。
【図３】複数のアクセスゲートウェイ（ＡＧＷ）のうちの１つがワイヤレスローカルエリアネットワーク（ＷＬＡＮ）中にあるマルチインタフェース通信環境において、ＩＰフローモビリティを可能にするための別の可能なシナリオにおけるＵＥと様々な通信エンティティとの間のメッセージおよびデータのフローを示す図。
【図４】複数のＡＧＷのうちの１つが、ポリシー制御およびチャージング（ＰＣＣ）機能が配備されたＷＬＡＮ中にあるマルチインタフェース通信環境において、ＩＰフローモビリティを可能にするための別の可能なシナリオにおけるＵＥと様々な通信エンティティとの間のメッセージおよびデータのフローを示す図。
【図５】ＵＥが追加のＩＰフローのセットアップを開始するマルチインタフェース通信環境において、ＩＰフローモビリティを可能にするための別の可能なシナリオにおけるＵＥと様々な通信エンティティとの間のメッセージおよびデータのフローを示す図。
【図６】ＵＥが複数のＡＧＷへの接続のために単一のＩＰアドレスを使用するつもりであることをＵＥが他の通信エンティティに通知するマルチインタフェース通信環境において、ＩＰフローモビリティを可能にするための別の可能なシナリオにおけるＵＥと様々な通信エンティティとの間のメッセージおよびデータのフローを示す図。
【図７】マルチインタフェース通信環境におけるＩＰフローモビリティのための方法を示す図。
【図８】ここに開示されるＩＰフローモビリティ方法を実行するための装置のハードウェア実装形態の一部を示す図。
【発明を実施するための形態】
【０００８】
本開示の少なくともいくつかの態様は、プロキシモバイルＩＰが使用されるワイヤレス通信ネットワークに関する。ワイヤレスデバイスは、ＬＴＥインタフェース、ワイヤレスローカルエリアネットワーク（ＷＬＡＮ）インタフェース、ＷｉＭＡＸインタフェースなど、様々な技術に関連する複数のインタフェースを有することができる。さらに、ワイヤレスデバイスは、ボイスオーバＩＰ（ＶｏＩＰ）セッション、データダウンロードセッション、データブラウジングセッションなど、複数のＩＰセッションに同時に参加することができる。複数のＩＰセッションのために単一のＩＰアドレスを使用することができる。本開示は、複数のセッションのために単一のＩＰアドレスが使用される、異なるインタフェース間で複数のセッションの選択的切替えを可能にするための技術を提供する。たとえば、本開示によれば、第１のインタフェースと１つまたは複数の他のＩＰセッションを保ちながら、少なくとも１つのＩＰセッションを第１のインタフェースから第２のインタフェースに切り替えることができる。そのような選択的切替えを可能にするために、ネットワーク内の異なるエンティティ（アクセスゲートウェイ、パケットデータネットワークゲートウェイ、ポリシーチャージングルール（policy charging rule）機能など）に、ワイヤレスデバイスに関連する特定のＩＰフローに関係するルーティング情報を与えることができる。そのような情報は、サービス品質（ＱｏＳ）およびＩＰ構成をセットアップするために使用されるプロトコルを拡張することによって与えることができる。
【０００９】
以下の説明では、簡潔さおよび明暸性の理由のために、ＩＴＵ（International Telecommunication Union）によって３ＧＰＰ（3rd Generation Partnership Project）の下で公表されたＬＴＥ標準に関連する用語を使用する。本発明は、符号分割多元接続（ＣＤＭＡ）、時間分割多元接続（ＴＤＭＡ）、周波数分割多元接続（ＦＤＭＡ）、直交周波数分割多元接続（ＯＦＤＭＡ）などに関係する技術およびその関連規格など、他の技術にも適用可能であることに留意されたい。異なる技術に関連する用語は異なることがある。たとえば、考察する技術に応じて、ワイヤレスデバイスは、ほんのいくつかの例を挙げれば、ユーザ機器、移動局、モバイル端末、加入者ユニット、アクセス端末などと時々呼ばれることがある。同様に、基地局は、アクセスポイント、ノードＢ、進化型(evolved）ノードＢなどと時々呼ばれることがある。ここで言及する他のノード（たとえば、アクセスゲートウェイ、パケットデータネットワークゲートウェイ、ポリシーチャージングルール機能など）も他の名前で呼ばれることがある。ここでは、適用可能なとき、異なる用語が異なる技術に適用されることに留意されたい。
【００１０】
ここで開示する方法を利用することができる通信システム１００を示す図１を参照する。図１では、説明の簡潔および容易のために、システム１００は単にＰＤＮゲートウェイ（ＰＧＷ）１１２を有するものとして示され、ＰＤＮは「パケットデータネットワーク」を表す略語である。ＰＧＷ１１２はローカルモビリティアンカー（ＬＭＡ）１１２と呼ばれることもある。ＰＧＷ１１２は、たとえば、ロングタームエボリューション（ＬＴＥ）システムのコアネットワークの一部とすることができる。この例では、ＰＧＷ１１２は、第１のアクセスゲートウェイ（ＡＧＷ１）１１４と、第２のアクセスゲートウェイ（ＡＧＷ２）１１６とに接続される。ＡＧＷ１  １１４およびＡＧＷ２  １１６は、異なる技術を用いて異なる規格の下で動作することができる。たとえば、ＡＧＷ１  １１４はＬＴＥ規格の下で動作し、ＡＧＷ２  １１６はワイヤレスローカルエリアネットワーク（ＷＬＡＮ）規格、ＷｉＭＡＸ規格などの下で動作することができる。
【００１１】
ＰＧＷ１１２には、ポリシーチャージングルール機能（ＰＣＲＦ）１１５と、課金認可認証（ＡＡＡ：Accounting Authorization Authentication）機能１１３とが接続される。ＰＣＲＦ１１５およびＡＡＡ１１３は、管理機能を実行するために使用されるエンティティであり、これについては後で説明する。さらに、ＰＧＷ１１２は、イントラネットまたはインターネットとすることができるバックボーンネットワーク１２１にリンクされる。
【００１２】
システム１００中には、ＡＧＷ１  １１４とＡＧＷ２  １１６とによってサービスされる無線ネットワークを含む、システム１００中の無線ネットワークを移動し、それらの無線ネットワークと通信することが可能なユーザ機器（ＵＥ）１１８がある。
【００１３】
最初に、ＵＥ１１８は、データパケットがＡＧＷ１  １１４と交換される複数のセッションを有すると仮定する。説明の容易のために、さらに、マルチインタフェースリンクはボイスオーバＩＰ（ＶｏＩＰ）セッション１２０とデータダウンロードセッション１２２とを備えると仮定する。
【００１４】
ＩＰフローはＶｏＩＰセッション１２０に関連し得る。同様に、ＩＰフローはデータダウンロードセッション１２２に関連し得る。ここで使用する「ＩＰフロー」という用語は、同じヘッダ情報をもつＩＰパケットのシーケンス、たとえば、ソースＩＰアドレスおよび宛先ＩＰアドレスと、ソースポートおよび宛先ポートと、同じトランスポートプロトコルとを含む同じ５組を指すことができる。たとえば、ＩＰｖ６フローラベル、またはＩＰｓｅｃヘッダ中のＳＰＩ（セキュリティパラメータインデックス）を使用した、ＩＰフローを識別するための他の方法もあることを理解されたい。本出願で説明するメカニズムは、どのようにＩＰフローが識別されているかにかかわらず適用される。
【００１５】
ＩＥＴＦ（Internet Engineering Task Force）によって規定されたプロキシモバイルインターネットプロトコル（ＰＭＩＰ）の下では、ＵＥ１１８が、要求されたサービスを用いて通信システム１００へのアクセスを得ることを認可された後、ＶｏＩＰセッション１２０およびデータダウンロードセッション１２２のデータパケット用のデータトンネル１２４が確立される。
【００１６】
この場合、さらに、ＵＥ１１８がＡＧＷ２  １１６の付近に到達し、ＡＧＷ２  １１６との通信状態が良好であると仮定する。データダウンロードセッション１２２をＡＧＷ１  １１４からＡＧＷ２  １１６に切り替えることが望ましいことがある。しかしながら、ＡＧＷ１  １１４とのＶｏＩＰセッション１２０を維持することが望ましいことがある。そのような選択的切替えには多くの理由がある。たとえば、ＵＥ１１８のユーザは、コスト削減のためにＡＧＷ２  １１６の技術を使用することを選ぶことがある。ただし、ＶｏＩＰコールなどのリアルタイムアプリケーションは、通常、たとえ可能であっても、あるアクセスポイントから別のアクセスポイントにハンドオーバされない。なぜなら、これはハンドオーバ動作中にサービス自体の中断を生じ得るからである。
【００１７】
これまで、上記の例で述べた通信セッションの選択的切替えは、前述の必要にもかかわらず十分に可能でなかった。代わりに、上記の例の場合のように現行の方式の下では、（ＵＥ１１８がＶｏＩＰセッション１２０とデータダウンロードセッション１２２の両方に単一のＩＰアドレスを使用する場合）すべてのセッションをＡＧＷ１  １１４からＡＧＷ２  １１６に切り替えなければならない。すなわち、ＰＧＷ１１２がプロキシバインディング更新（ＰＢＵ）を実行した後、ＡＧＷ１  １１４とＰＧＷ１１２との間のデータトンネル１２４は、ＡＧＷ２  １１６とＰＧＷ１１２との間に確立されたデータトンネル１２６に切り替えられる。したがって、ＶｏＩＰセッション１２０とデータダウンロードセッション１２２の両方は、ＡＧＷ２  １１６を通過しなければならない。本開示は、複数のセッションのために単一のＩＰアドレスが使用される、異なるインタフェース間での複数のセッションの選択的切替えを可能にするための技法に関する。
【００１８】
次に図２を参照する。ＰＣＲＦ１１５は、ＵＥ１１８がＶｏＩＰセッション１２０およびデータダウンロードセッション１２２においてデータパケットを交換していることをすでに知っていると仮定する。これらのセッションは、図２では、ブートストラップ時間において登録されているからである。上述したように、まず第１に、ＵＥ１１８はＡＧＷ２  １１６に登録しなければならない。ＵＥ１１８は、アクセス特有の接続（attachment）手順を使用してＡＧＷ２  １１６で認証されなければならない。図２に示すように、２３０において、そのような手順を介してＵＥ１１８とＡＧＷ２  １１６との間でメッセージを交換することができる。その後、２３２において、ＡＧＷ２  １１６は、ＡＡＡ１１３とメッセージを交換することによってアドミニストレーション（administration）機能を実行する。
【００１９】
ＡＧＷ２  １１６およびＰＣＲＦ１１５は、ＡＧＷ２  １１６とＵＥ１１８との間のリンクにおけるＱｏＳ確立に関係するメッセージ２３３を交換するが、これは、接続（attachment）中のベアラ（bearer）セットアップをサポートするアクセス技術の場合はＰＣＲＦ１１５を用いて実行されなければならない。次いで、ＡＧＷ２  １１６は、ＡＧＷ２  １１６とＰＧＷ１１２との間のデータトンネル１２６をセットアップするために、ＰＧＷ１１２にＰＢＵメッセージ２３４を送る。ＰＢＵメッセージ２３４は、複数のＡＧＷ１１４、１１６へのＵＥ１１８の同時接続を可能にするために設定されたハンドオフ指示フィールドを有する。
【００２０】
次に、ＰＧＷ１１２は、ＡＧＷ１１４、１１６とのデータＩＰトンネルをセットアップするための認証（authentication）を要求するインターネットプロトコル接続アクセスネットワーク（ＩＰ  ＣＡＮ: Internet Protocol Connectivity Access Network）メッセージ２３６をＰＣＲＦ１１５に伝える。メッセージ２３６は、ＵＥ１１８がＡＧＷ２  １１６に接続されることを要求していることをＰＣＲＦ１１５に通知する。
【００２１】
図示の例では、２３７において、ＰＣＲＦ１１５は、ＡＧＷ１  １１４とＰＧＷ１１２との間のデータトンネル１２４にＶｏＩＰセッション１２０を割り当てること、およびＡＧＷ２  １１６とＰＧＷ１１２との間で生成される予定の新規トンネル１２６にデータダウンロードセッション１２２を割り当てることによって、２つのセッションを分割することを決定する。したがって、ＰＣＲＦ１１５は、ＰＧＷ１１２へ、当該要求に肯定応答し、決定されたフロー分配をＰＧＷ１１２に与える、応答２４０を返送する。より具体的には、応答２４０は、複数のＡＧＷ１１４、１１６へのＵＥ１１８のＩＰフローの分配に関する情報を含む。図示の例では、応答２４０は、ＶｏＩＰセッション１２０に対応するＩＰフローはＡＧＷ１  １１４に割り当てられ、データダウンロードセッション１２２に対応するＩＰフローはＡＧＷ２  １１６に割り当てられることを指示する。ＶｏＩＰセッション１２０に対応するＩＰフローの識別子は記号「ＦＩＤ１」によって指定される。データダウンロードセッション１２２に対応するＩＰフローの識別子は記号「ＦＩＤ２」によって指定される。記号「＊」は、ＵＥ１１８のＦＩＤ１およびＦＩＤ２以外の他のＩＰフローのすべてを指す。
【００２２】
次に、ＡＧＷ２  １１６から以前に送信されたＰＢＵ２３４に肯定応答するために、ＰＧＷ１１２はＡＧＷ２  １１６にＰＢＡ（プロキシバインディング肯定応答）メッセージ２４２を送信する。ＰＢＡメッセージ２４２の受信は、ＡＧＷ２  １１６に、ＰＣＲＦ１１５にゲートウェイ制御要求メッセージ２４３を送信させる。すると、ＰＣＲＦ１１５は、ゲートウェイ制御要求２４３に肯定応答し、ＡＧＷ２  １１６にＱｏＳルールを与えるメッセージ２４４を返信する。このメッセージ２４４は、（ここではＦＩＤ２と呼ばれることがある）データダウンロードセッション１２２のフロー識別子と対応する特徴とを含むＴＦＴ（トラヒックフローテンプレートTraffic Flow Template）と、ルーティングテーブルをアップデートするために該ＴＦＴを使用するようにＵＥ１１８に伝える情報とを含む。次いで、ＡＧＷ２  １１６およびＵＥ１１８は、ＱｏＳと対応するＴＦＴとをＵＥ１１８とＡＧＷ２  １１６との間のリンクにマッピングするために、ＵＥ１１８とのＱｏＳネゴシエーション２４５、２４６を実行する。ＡＧＷ２  １１６によってＵＥ１１８に送信されるメッセージ２４５は、フローデータをデータダウンロードセッション１２２からＰＧＷ１１２とＡＧＷ２  １１６との間のデータトンネル１２６に切り替えるためにＵＥ１１８によって使用される指示を含む。このメッセージ２４５を受信すると、ＵＥ１１８は、含まれている情報を利用して、そのルーティングテーブルを更新し、すなわち、通知されることによって、データダウンロードセッション１２２に属するパケットをＡＧＷ２  １１６に切り替え、ＡＧＷ１  １１４との接続におけるＶｏＩＰセッション１２０に属するパケットを維持する。ＰＣＲＦ１１５とのそのような動作に肯定応答するために、ＡＧＷ２  １１６はＰＣＲＦ１１５にＱｏＳルール肯定応答メッセージ２４７を送信する。
【００２３】
データダウンロードセッション１２２用のＱｏＳルールの削除に関して、ＰＧＷ２１２はＡＧＷ１  ２１４とメッセージ２４８を交換し、ＰＧＷ２１２はＰＣＲＦ２１５とメッセージ２４９を交換する。
【００２４】
ＱｏＳベアラセットアップメッセージの代わりにＰＣＲＦ１１５によって確立された新たなルーティング情報をＵＥ１１８に与えるために他の方法または手法を使用することができることに留意されたい。そのような方法は、たとえば、ＲＳ／ＲＡ（ルータ要請（Router Solicitation）／ルータ広告（Router Advertisement））メッセージ、動的ホスト構成プロトコル（ＤＨＣＰ：Dynamic Host Configuration Protocol）交換またはＲＳＶＰ（Resource Reservation Protocol）などである。
【００２５】
この例では、２つのインタフェースセッション１２０および１２２が記載されているが、ただ１つのセッション１２２が転送される。他の組合せが可能なことが明らかに可能である。たとえば、ＵＥ１１８は、最初はＡＧＷ１  １１４と４つのインタフェースセッションを有し、後で４つのセッションのうちの３つをＡＧＷ２  １１６に転送するが、依然として４つのセッションのうちの１つを維持することができる。
【００２６】
ＡＧＷ２  １１６のアクセスネットワークがベアラレスである（たとえば、ＡＧＷ２がワイヤレスローカルエリアネットワーク（ＷＬＡＮ）の一部である）状況を図３に示す。ＰＣＲＦ１１５は、ＵＥ１１８が、ブートストラップ時間において登録されたＶｏＩＰセッション１２０およびデータダウンロードセッション１２２を介してデータパケットを交換していることをすでに知っている。
【００２７】
前述したように、最初に、ＵＥ１１８はＡＧＷ２  １１６に登録しなければならない。ＡＧＷ２  １１６でＵＥ１１８を認証するために、拡張認証プロトコル（ＥＡＰ：Extensible Authentication Protocol）を使用して、ＵＥ１１８とＡＧＷ２  １１６との間でメッセージ３６２が交換される。その後、ＡＧＷ２  １１６は、ＡＡＡ１１３とメッセージ３６４を交換することによってアドミニストレーション（administration）機能を実行する。
【００２８】
ＥＡＰ手順の後、ＵＥ１１８は、ＩＰｖ６アドレスと、ＡＧＷ１  １１４およびＡＧＷ２  １１６の両方に対する接続とを要求するルータ要請メッセージ３６６をＡＧＷ２  １１６へ送る。そのようなメッセージによって、次に、ＡＧＷ２  １１６に、ＰＧＷ１１２とＡＧＷ２  １１６との間のデータトンネル１２６をセットアップするためにＰＢＵメッセージ３６８をＰＧＷ１１２へ送らせる。ＰＢＵメッセージ３６８は、複数のＡＧＷ１１４、１１６へのＵＥ１１８の同時接続を可能にするために設定されたハンドオフ指示フィールドを有する。
【００２９】
次に、ＰＧＷ１１２は、ＡＧＷ２  １１６とのデータＩＰトンネルをセットアップするための認証を要求するＩＰ  ＣＡＮメッセージ３７０をＰＣＲＦ１１５に伝える。ＩＰ  ＣＡＮメッセージ３７０は、ＵＥ１１８がＡＧＷ２  １１６に接続されることを要求していることをＰＣＲＦ１１５に通知する。そのような指示は変更イベントトリガＡＶＰに適合させることができるが、他の拡張も明らかに可能である。
【００３０】
次に、ＰＣＲＦ１１５は、３７１において、ＡＧＷ１  １１４とＰＧＷ１１２との間のデータトンネル１２４にＶｏＩＰセッション１２０を割り当てること、およびＡＧＷ２  １１６とＰＧＷ１１２との間で生成される予定の新たなデータトンネル１２６にデータダウンロードセッション１２２を割り当てることによって、２つのセッションを分割することを決定する。したがって、ＰＣＲＦ１１５は、要求に肯定応答し、決定されたフロー分配をＰＧＷ１１２に与える応答３７２をＰＧＷ１１２に返信する。次に、ＡＧＷ２  １１６から以前に送信されたＰＢＵ３６８に肯定応答するために、ＰＧＷ１１２はＡＧＷ２  １１６にＰＢＡメッセージ３７４を送る。ＰＢＡメッセージ３７４は、上記のようにＡＧＷ２  １１６に移動されつつあるＩＰフロー（すなわち、この例ではデータダウンロードセッション１２２についてのＩＰフロー）を識別するＦＩＤ２を含むことができる。たとえば、ＰＢＡメッセージ３７４は、コンテンツがＦＩＤ２であるＦＩＤモビリティオプション、および対応するフロー特徴を含むことができる。
【００３１】
ＰＢＡメッセージ３７４によってトリガされて、ＡＧＷ２  １１６は、以前に送信されたＲＳメッセージ３６６への応答として、ＵＥ１１８にルータ広告（ＲＡ）メッセージ３７６を返信する。ＲＡメッセージ３７６は、上記のようにＡＧＷ２  １１６に移動されつつあるＩＰフロー（すなわち、この例ではデータダウンロードセッション１２２についてのＩＰフロー）を識別するＦＩＤ２を含む。ＦＩＤ２はアドホックオプションに挿入できる。
【００３２】
ＲＡメッセージ３７６の受信は、ＵＥ１１８がＡＧＷ２  １１６とのＩＰ接続性（connectivity）を得ることを可能にし、データダウンロードセッション１２２に属するパケットをＡＧＷ２  １１６へルーティングすることをＵＥ１１８に通知する。ＲＡメッセージ３７６に対する他のオプションまたは拡張を使用することができ、ＮＳ／ＮＡ、ＤＨＣＰメッセージおよびＲＳＶＰシグナリングなどの他のメッセージが、同じ通信に対して好適であり、ＲＡに行ったのと同様の拡張を必要とし得ることに留意されたい。
【００３３】
ＲＡメッセージ３７６を受信することによって、ＵＥ１１８は、含まれている情報を利用して、そのルーティングテーブルを更新する、すなわち、通知されることによって、ＡＧＷ１  １１４との接続においてＶｏＩＰセッション１２０に属するパケットを維持しながら、データダウンロードセッション１２２に属するパケットをＡＧＷ２  １１６に切り替える。
【００３４】
同時に、ＰＣＲＦ１１５は、ＡＧＷ１  １１４とＵＥ１１８との間のリンクからＦＩＤ２に関係するＱｏＳおよびＴＦＴフィルタを破棄するためのＱｏＳルールメッセージ３７８をＡＧＷ１  １１４に返信する。そのようなメッセージは、ＡＧＷ１  １１４に、ＵＥ１１８にベアラ変更メッセージ３８０を送信させる。ベアラ変更メッセージ３８０は、上記のようにＡＧＷ２  １１６に移動され得るＩＰフロー（すなわち、この例ではデータダウンロードセッション１２２についてのＩＰフロー）を識別するＦＩＤ２を含む。
【００３５】
ＵＥ１１８はＡＧＷ１  １１４に肯定応答メッセージ３８２を返信し、続いて、ＡＧＷ１  １１４はＰＣＲＦ１１５に肯定応答メッセージ３８４を返信する。ＱｏＳルールメッセージ３７８およびベアラ変更メッセージ３８０は、対応するデータダウンロードセッション１２２を閉じることなしにデータトンネル１２４からフローＦＩＤ２を削除するようにＵＥ１１８に伝える拡張を含む。
【００３６】
ＲＳ／ＲＡメッセージ交換の代わりにＰＣＲＦ１１５によって確立される新規ルーティング情報をＵＥ１１８に与えるために他の方法または手法を使用することができることに留意されたい。そのような方法は、たとえば、ＮＳ／ＮＡメッセージ、ＤＨＣＰ交換またはＲＳＶＰシグナリングである。
【００３７】
次に図４を参照する。図４では、ＡＧＷ２  １１６が、ポリシー制御およびチャージング（ＰＣＣ）機能が配備されたＷＬＡＮの一部であると仮定する。
【００３８】
ＡＧＷ２  １１６でＵＥ１１８を認証するために、ＥＡＰ（Extensible Authentication Protocol）を使用してＵＥ１１８とＡＧＷ２  １１６との間でメッセージ４３０が交換される。その後、ＡＧＷ２  １１６は、ＡＡＡ１１３とメッセージ４３２を交換することによってアドミニストレーション機能を実行する。
【００３９】
ＵＥ１１８は、ＡＧＷ２  １１６にＡＧＷ２  １１６へのルータ要請（ＲＳ）メッセージ４３３を送信する。ＲＳメッセージ４３３は、ＡＧＷ２  １１６に、ＰＧＷ１１２とＡＧＷ２  １１６との間のデータトンネル１２６をセットアップするために、ＰＢＵメッセージ４３４をＰＧＷ１１２に送らせる。ＡＧＷ２  １１６は、ＥＡＰメッセージ交換４３０中に受信されたＦＩＤ２と対応するセッション記述とを含むＦＩＤモビリティオプションをＰＢＵメッセージ４３４中に挿入する。
【００４０】
次に、ＰＧＷ１１２は、ＡＧＷ２  １１６とのデータトンネル１２６をセットアップし、そのデータトンネル１２６を使用して、データダウンロードセッション１２２に属するデータパケットを交換するための認証を要求するＩＰ  ＣＡＮメッセージ４３６をＰＣＲＦ１１５に伝える。ＩＰ  ＣＡＮメッセージ４３６は、対応する記述とともにＦＩＤ２を含む。たとえば、ＦＩＤ２は、変更されたまたは変更されていないＴＦＴ識別子として含めることができる。他の拡張を使用することも可能である。
【００４１】
次に、ＰＣＲＦ１１５は、ＡＧＷ１  １１４とＰＧＷ１１２との間のデータトンネル１２４にＶｏＩＰセッション１２０を割り当て、およびＡＧＷ２  １１６とＰＧＷ１１２との間で生成される予定の新規データトンネル１２６にデータダウンロードセッション１２２を割り当てることによって、２つのセッションを分割することを決定する（４３７）。ＰＣＲＦ１１５は、該要求を肯定応答及び認可する応答をＰＧＷ１１２に返す（４４０）。続いて、ＡＧＷ２  １１６から以前に送信されたＰＢＵメッセージ４３４に肯定応答するために、ＰＧＷ１１２はＡＧＷ２  １１６にＰＢＡメッセージ４４２を送る。
【００４２】
ＰＢＡメッセージ４４２の受信は、ＡＧＷ２  １１６に、ＰＣＲＦ１１５へゲートウェイ制御要求メッセージ４４３を送信させる。続いて、ＰＣＲＦ１１５は、ゲートウェイ制御要求４４３に肯定応答しＡＧＷ２  １１６にＱｏＳルールを与えるメッセージ４４５を返信する。ＱｏＳルールはＦＩＤ２に関連し、上記のように、ＡＧＷ２  １１６に移動され得るＩＰフロー（すなわち、この例ではデータダウンロードセッション１２２についてのＩＰフロー）を識別する。
【００４３】
ＡＧＷ２  １１６は、以前に送信されたＲＳメッセージ４３３への応答として、ＵＥ１１８にルータ広告（ＲＡ）メッセージ４４４を返信する。ＲＡメッセージ４４４により、ＵＥ１１８はＩＰ接続性を得ることできる。
【００４４】
ＰＣＲＦ１１５は、ＡＧＷ１  １１４とＵＥ１１８との間のリンクから、ＦＩＤ２に関係するＱｏＳおよびＴＦＴフィルタを破棄するためのＱｏＳルールメッセージ４４６をＡＧＷ１  １１４へ返信する。そのようなメッセージは、ＡＧＷ１  １１４に、ＵＥ１１８にベアラ変更メッセージ４４７を送信させる。ＵＥ１１８はＡＧＷ１  １１４に肯定応答メッセージ４４８を返信し、続いて、ＡＧＷ１  １１４はＰＣＲＦ１１５へ肯定応答メッセージ４４９を返信する。
【００４５】
その後、図１に示すように、ＵＥ１１８とＡＧＷ２  １１６との間の別のデータトンネル１２６が確立される。データトンネル１２６中には、この例では、データダウンロードセッション１２２用のデータパケットのみがある。ＶｏＩＰセッション１２０用のデータパケットについては、依然として、ＵＥ１１８とＡＧＷ１  １１４との間でリンクされたトンネル１２４中で交換される。
【００４６】
フローがブートストラップされる場合、ＵＥ１１８が接続されているＡＧＷ１１４、１１６のいずれかにフローを割り振るために同じ手順を使用することができることに留意されたい。同様に、フローのネットワーク制御切替えを実行するために同じ拡張を使用することができる。たとえば、ＰＣＲＦ１１５は、ＦＩＤ２とラベル付けされたフローをＡＧＷ２  １１６に移動する決定を行うエンティティであり得る。
【００４７】
ＰＣＲＦ１１５が配備されない場合、ＰＧＷ１１２が、別のエンティティ（このエンティティは、ＰＧＷ１１２中に共同設置することもできる）と認可（authorization）交換を実行する限り、この解決策は依然として有効であることに留意されたい。
【００４８】
さらに、ＰＢＵ／ＰＢＡ交換をトリガするために使用される方法（たとえば、アクセス技術によってサポートされている場合、ネイバー要請(Neighbor Solicitation)／ネイバー広告(Neighbor Advertisement)、ルータ要請(Router Solicitation)／ルータ広告(Router Advertisement)、ＤＨＣＰメッセージ、ＲＳＶＰメッセージ、またはＵＥ１１８とＡＧＷ１１４、１１６との間にレイヤ２接続をセットアップするために使用されるメッセージ）は、（必要な場合には）拡張して、ＦＩＤについての情報を搬送することができる。
【００４９】
次に図５を参照する。図５では、ＵＥ１１８は、データトンネル１２４を介してＡＧＷ１  １１４に接続され、データトンネル１２６を介してＡＧＷ２  １１６に接続されている。言い換えれば、ＵＥ１１８は、ＡＧＷ１  １１４を通してデータフロー１２０を交換し、ＡＧＷ２  １１６を通してデータフロー１２２を交換する。
【００５０】
ＵＥ１１８は、第３のセッション、たとえば、データブラウジング（data browsing）セッション１１１を開始し、第３のセッションのＩＰフローをＡＧＷ２  １１６に整合させることを試み、したがって、そのセッションに属するパケットをＡＧＷ２  １１６とＰＧＷ１１２との間のデータトンネル１２６を通して交換することを決定する。ＦＩＤ１およびＦＩＤ２と同様の方法で、ＵＥ１１８は、第３のセッションを特徴づけ、その第３のセッションをＦＩＤ３と名づける。言い換えれば、ＦＩＤ３は、追加され得るＩＰフロー（すなわち、データブラウジングセッション１１１に対応するＩＰフロー）であって、ＡＧＷ２  １１６に割り当てられ得るＩＰフローを識別する。
【００５１】
データブラウジングセッション１１１をＡＧＷ２  １１６とＰＧＷ１１２との間のデータトンネル１２６にマッピングするために、ＵＥ１１８はＡＧＷ２  １１６へルータ要請（ＲＳ）メッセージ５９０を送る。ＲＳメッセージ５９０は、ＦＩＤ３と、対応する特徴とを含む拡張を含む。この拡張はアドホックオプションに適合させることができるが、ピギーバックまたは既存のオプションの拡張など、他の方法を使用することができる。
【００５２】
ＲＳメッセージ５９０は、ＡＧＷ２  １１６に、ＦＩＤ３情報を含むＰＢＵメッセージ５９４をＰＧＷ１１２へ送信させる。続いて、ＰＧＷ１１２は、セッション１１１に属するデータパケットを交換するためにデータトンネル１２６を使用するための認可を要求するＩＰ  ＣＡＮメッセージ５９６をＰＣＲＦ１１５に伝える。ＩＰ  ＣＡＮメッセージ５９６は、ＦＩＤ３および対応する記述を含み、それらはＴＦＴ識別子として含めることができる（ただし、他の拡張を使用することも可能である）。
【００５３】
ＰＣＲＦ１１５は、該要求を肯定応答する返答５９８をＰＧＷ１１２に返す。続いて、ＡＧＷ２  １１６から以前に送信されたＰＢＵメッセージ５９４に肯定応答するために、ＰＧＷ１１２はＡＧＷ２  １１６にＰＢＡメッセージ５９９を送る。
【００５４】
最後に、ＡＧＷ２  １１６は、以前に送信されたＲＳメッセージ５９０への応答としてＵＥ１１８にルータ広告（ＲＡ）メッセージ５０２を返信する。ＲＡメッセージ５０２は、ＡＧＷ２  １１６に追加され割り当てられるＩＰフロー（すなわち、この例ではデータブラウジングセッション１１１用のＩＰフロー）を識別するＦＩＤ３を含む。ＲＡメッセージ５０２は、セッション１１１用のデータパケット交換を実行するためにＡＧＷ２  １１６の使用可能性を肯定応答する。ＦＩＤ３割り当てを実行するためにＲＳ／ＲＡメッセージ以外の他の方法を使用することができることに留意されたい。例としては、特に、ＮＳ／ＮＡメッセージ、ＤＨＣＰメッセージ、ＲＳＶＰメッセージまたはレイヤ２ベアラセットアップ動作がある。
【００５５】
次に図６を参照する。本実施形態では、ＵＥ１１８が単一のＩＰアドレスを使用して複数のＡＧＷ１１４、１１６へ接続したいことを示す指示が、複数のＥＡＰ（Extensible Authentication Protocol）メッセージ６３０のうちの１つに含まれる。言い換えれば、この指示は、ＵＥ１１８が、複数のＡＧＷ１１４、１１６への接続のために単一のＩＰアドレスを使用することを意図していることをＡＧＷ２  １１６に通知する効果を有する。この指示は、図６では「＊」で示している。この指示は、ＥＡＰ応答メッセージのアドホック属性中に含めることができる。さらに、これは、ＵＥ１１８によって送信される任意のＥＡＰパケットについての任意の他の拡張または変更に拡張できる。その後、ＡＧＷ２  １１６は、ＡＡＡ１１３とメッセージ６３２を交換することによってアドミニストレーション機能を実行する。
【００５６】
ＥＡＰ手順の後、ＵＥ１１８は、ＩＰ接続をセットアップするためにインターネットプロトコル（ＩＰ）によって必要とされているメッセージ交換を実行する。以下では、ＰＭＩＰの使用を仮定して、そのような手順について説明する。
【００５７】
ＵＥ１１８は、ＩＰｖ６アドレスを要求するルータ要請（ＲＳ）メッセージ６３３をＡＧＷ２  １１６に送信する。ＲＳメッセージ６３３は、ＵＥ１１８が、複数のＡＧＷ１１４、１１６への接続のために単一のＩＰアドレスを使用することを意図していることを通知する指示を含む。ＲＳメッセージ６３３およびＲＡメッセージ６４４の代替として、ネイバー要請（Neighbor Solicitation）／ネイバー広告（Neighbor Advertisement）およびＤＨＣＰメッセージを使用することができる。
【００５８】
ＲＳメッセージ６３３は、ＡＧＷ２  １１６に、ＰＧＷ１１２とＡＧＷ１  １１４との間のデータトンネル１２４を廃棄することなしに、図１に示すＰＧＷ１１２とＡＧＷ２  １１６との間のデータトンネル１２６をセットアップするために、ＰＢＵメッセージ６３４をＰＧＷ１１２に送信させる。ＡＧＷ２  １１６は、ＰＢＵメッセージ６３４においてハンドオフ指示フィールドに適切な値に設定する。ＰＢＵメッセージ６３４は、ＵＥ１１８が、複数のＡＧＷ１１４、１１６への接続のために単一のＩＰアドレスを使用することを意図していることを示す。
【００５９】
続いて、ＰＧＷ１１２は、すでにセットアップされているデータトンネル１２４を廃棄することなしにＡＧＷ２  １１６とのデータトンネル１２６をセットアップするための認可を要求するＩＰ  ＣＡＮメッセージ６３６をＰＣＲＦ１１５に伝える。ＩＰ  ＣＡＮメッセージは、ＵＥ１１８が、同じＩＰアドレスを使用してＡＧＷ１  １１４とＡＧＷ２  １１６の両方に接続できることを示す指示を含む。たとえば、新規の値をもつイベントトリガＡＶＰを使用することができるが、同様に、既存の拡張に対する他の拡張または変更を使用することができる。
【００６０】
次いで、ＰＣＲＦ１１５は、ＡＧＷ１  １１４とＰＧＷ１１２との間のデータトンネル１２４にＶｏＩＰセッション１２０を割り当て、およびＡＧＷ２  １１６とＰＧＷ１１２との間で生成される予定の新規データトンネル１２６にデータダウンロードセッション１２２を割り当てることによって、２つのセッションを分割することを決定する（６３７）。
【００６１】
ＰＣＲＦ１１５は、該要求を肯定応答する返答６４０をＰＧＷ１１２に返す。続いて、ＡＧＷ２  １１６から以前に送信されたＰＢＵメッセージ６３４に肯定応答するために、ＰＧＷ１１２はＡＧＷ２  １１６にＰＢＡメッセージ６４２を送る。最後に、ＡＧＷ２  １１６は、以前に送られたＲＳメッセージ６３３への応答としてＵＥ１１８にルータ広告（ＲＡ）メッセージ６４４を返信する。ＲＡメッセージ６４４により、ＵＥ１１８はＩＰ接続性を得ることができる。
【００６２】
図７は、マルチインタフェース通信環境におけるＩＰフローモビリティのための方法７００を示す。７０２において、ＵＥ１１８は、データパケットが第１のＡＧＷ１１４と交換される複数のセッション（たとえば、ＶｏＩＰセッション１２０およびデータダウンロードセッション１２２）を確立する。ある時点で、ＵＥ１１８は第２のＡＧＷ１１６の付近に到達することができ、７０４において、ＵＥ１１８は第２のＡＧＷと良好な通信状態を有していると決定する。第１のＡＧＷ１１４および第２のＡＧＷ１１６は、異なる技術を用いて異なる規格の下で動作することができる。
【００６３】
７０６において、ＵＥ１１８またはネットワーク中の別の通信エンティティ（たとえば、ＰＣＲＦ１１５）のいずれかにより、セッション１２０、１２２のうちの一方を第１のＡＧＷ１１４から第２のＡＧＷ１１６に切り替えることが決定される。たとえば、データダウンロードセッション１２２を第２のＡＧＷ１１６に切り替え、ＶｏＩＰセッション１２０は第１のＡＧＷ１１４に維持する。ＵＥ１１８およびネットワーク中の他の通信エンティティ（すなわち、ＵＥ１１８、第１のＡＧＷ１１４、第２のＡＧＷ１１６、ＰＧＷ１１２、ＰＣＲＦ１１５、およびＡＡＡ１１３）は、図２〜図６に示す方法でメッセージを交換することができ、それらのメッセージは、ＵＥ１１８が、複数のＡＧＷ１１４、１１６への接続のために単一のＩＰアドレスを使用することを意図していることをネットワーク中の様々な通信エンティティに通知し（７０８）、またＵＥの複数のＩＰフローの少なくとも１つに関連する情報をネットワーク中の様々な通信エンティティに提供する（７１０）という効果を有する。
【００６４】
図８に、上述した方式またはプロセスを実行するための装置８９０のハードウェア実装形態の一部を示す。装置８９０は後述の回路を備える。本明細書および添付の特許請求の範囲では、「回路」という用語は、機能上の用語ではなく構造上の用語として解釈されることが明らかなはずである。たとえば、回路は、図８に図示および説明する処理および／またはメモリセル、ユニット、ブロックなどの形態の回路構成要素の集合体、たとえば、多数の集積回路構成要素とすることができる。
【００６５】
本実施形態では、回路装置は、参照番号８９０によって示され、ＵＥ１１８、ＡＧＷ１  １１４、ＡＧＷ２  １１６、ＰＧＷ１１２、ＰＣＲＦ１１５、またはＡＡＡ１１３などの本明細書で説明する通信エンティティのいずれにも実装できる。
【００６６】
装置８９０は、いくつかの回路を互いにリンクする中央データバス８９２を備える。回路は、ＣＰＵ（中央処理装置）またはコントローラ８９４と、受信回路８９６と、送信回路８９８と、メモリユニット８９９とを含む。
【００６７】
装置８９０がワイヤレスデバイスの一部である場合、受信回路８９６および送信回路８９８は、ＲＦ（無線周波数）回路（図面に図示せず）に接続できる。受信回路８９６は、受信信号を処理し、バッファした後、その信号をデータバス８９２に送出する。一方、送信回路８９８は、データバス８９２からのデータを処理し、バッファした後、データをデバイス８９０の外側に送信する。ＣＰＵ／コントローラ８９４は、データバス８９２のデータ管理の機能、さらに、メモリユニット８９９の命令コンテンツを実行することを含む、一般的なデータ処理の機能を実行する。
【００６８】
メモリユニット８９９は、参照番号８０２によって概略的に表されたモジュールおよび／または命令のセットを含む。本実施形態では、モジュール／命令は、特に、上述した方式およびプロセスを実行する、フロー特徴づけ、識別および生成機能８０８を含む。機能８０８は、図１〜図７に図示および説明したプロセスステップを実行するためのコンピュータ命令またはコードを含む。エンティティに特有の特定の命令は、機能８０８において選択的に実装できる。特に、たとえば、装置８９０がＵＥ１１８の一部である場合、図１〜図７に図示および説明したＵＥ１１８に特定の命令は、機能８０８においてコーディングできる。同様に、装置８９０が、インフラストラクチャ通信エンティティ、たとえば、ＡＧＷ１１４、１１６の一部である場合、図１〜図７に図示および説明したインフラストラクチャエンティティの態様に特定の命令は、機能８０８においてコーディングできる。
【００６９】
本実施形態では、メモリユニット８９９はＲＡＭ（ランダムアクセスメモリ）回路である。機能８０８などの例示的な機能は、１つまたは複数のソフトウェアルーチン、モジュールおよび／またはデータセットを含む。メモリユニット８９９は、揮発性タイプまたは不揮発性タイプのいずれかであり得る別のメモリ回路（図示せず）に結合できる。代替として、メモリユニット８９９は、ＥＥＰＲＯＭ（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造できる。
【００７０】
上記の説明では、様々な用語とともに参照番号が時々使用されている。用語が参照番号とともに使用されている場合、これは、１つまたは複数の図に示された特定の要素を指すものとする。用語が参照番号なしに使用されている場合、これは、特定の図に限定されない用語を一般に指すものとする。
【００７１】
「決定」という用語は、多種多様なアクションを包含し、したがって、「決定」は、計算、算出、処理、導出、調査、探索（たとえば、テーブル、データベースまたは別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選出、確立などを含むことができる。
【００７２】
「に基づいて」という句は、別段に明示されていない限り、「のみに基づいて」を意味しない。言い換えれば、「に基づいて」という句は、「のみに基づいて」と「に少なくとも基づいて」の両方を表す。
【００７３】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことができる。
【００７４】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタ、ファームワイヤード回路など、様々なタイプのプロセッサ可読媒体を指すことができる。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００７５】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備えることができる。
【００７６】
ここで説明する機能は、１つまたは複数の命令としてコンピュータ可読媒体上に記憶できる。「コンピュータ可読媒体」という用語は、コンピュータによってアクセスできる任意の有形媒体を指す。限定ではなく例として、コンピュータ可読媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは命令またはデータ構造の形態で所望のプログラムコードを記憶するために使用でき、コンピュータによってアクセスできる任意の他の媒体を備えることができる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザで光学的に再生する。
【００７７】
ソフトウェアまたは命令はまた、伝送媒体を介して送信できる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００７８】
本明細書で開示する方法は、説明した方法を達成するための１つまたは複数のステップまたはアクションを備える。本方法のステップおよび／またはアクションは、特許請求の範囲の範囲から逸脱することなく互いに交換することができる。すなわち、本明細書で説明する方法の適切な動作のためにステップまたはアクションの特定の順序が必要とされない限り、特定のステップおよび／またはアクションの順序および／または使用は、特許請求の範囲の範囲を逸脱することなく修正することができる。
【００７９】
さらに、本明細書で説明する方法および技法を実行するためのモジュールおよび／または他の適切な手段は、デバイスによってダウンロードおよび／または他の方法で取得できることを諒解されたい。たとえば、デバイスは、本明細書で説明する方法を実行するための手段の転送を可能にするために、サーバに結合できる。代替的に、本明細書で説明する様々な方法は、記憶手段をデバイスに結合するかまたは与えるときにデバイスが様々な方法を獲得することができるように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えることができる。さらに、本明細書で説明する方法および技法をデバイスに与えるための任意の他の適切な技法を利用することができる。
【００８０】
特許請求の範囲は、上記の正確な構成および構成要素に限定されないことを理解されたい。特許請求の範囲の範囲を逸脱することなく、本明細書で説明するシステム、方法および装置の構成、動作および詳細において、様々な改変、変更および変形を行うことができる。
【００８１】
いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
以下に、本願出願の当初の特許請求の範囲に記載された発明を付記する。
［付記］
［１］通信エンティティであって、
ワイヤレスデバイスが複数のアクセスゲートウェイへの接続のために単一のインターネットプロトコル（ＩＰ）アドレスを使用しようとしていることを他の通信エンティティに通知する手段と、
前記ワイヤレスデバイスの複数のＩＰフローのうちの少なくとも１つに関連する情報を前記他の通信エンティティに送る手段と、
を備える、通信エンティティ。
［２］前記通信エンティティはポリシーチャージングルール機能であり、
前記他の通信エンティティはパケットデータネットワークゲートウェイであり、
前記送る手段は、前記パケットデータネットワークゲートウェイにＩＰ接続アクセスネットワークメッセージへの応答を送信する手段を備え、
前記応答は、前記複数のアクセスゲートウェイの間での前記ワイヤレスデバイスの前記複数のＩＰフローの分配についての情報を含む、［１］の通信エンティティ。
［３］前記通信エンティティはパケットデータネットワークゲートウェイであり、
前記他の通信エンティティはアクセスゲートウェイであり、
前記送る手段は、前記アクセスゲートウェイへプロキシバインディング肯定応答メッセージを送る手段を備え、
前記プロキシバインディング肯定応答メッセージは、前記アクセスゲートウェイに移動されるＩＰフローについての識別情報を含む、［１］の通信エンティティ。
［４］前記通信エンティティはアクセスゲートウェイであり、
前記他の通信エンティティは前記ワイヤレスデバイスであり、
前記送る手段は、前記ワイヤレスデバイスへ、ルータ広告メッセージ、ネイバー広告メッセージ、および動的ホスト構成プロトコルメッセージのうちの少なくとも１つを送る手段を備え、
前記ルータ広告／ネイバー広告／動的ホスト構成プロトコルメッセージは、前記アクセスゲートウェイへ移動されるＩＰフローについての識別情報を含む、［１］の通信エンティティ。
［５］前記通信エンティティはアクセスゲートウェイであり、
前記他の通信エンティティは前記ワイヤレスデバイスであり、
前記送る手段は、前記ワイヤレスデバイスへベアラ変更メッセージを送る手段を備え、
前記ベアラ変更メッセージは、前記アクセスゲートウェイから移動されるＩＰフローの識別情報を含む、［１］の通信エンティティ。
［６］前記通信エンティティはポリシーチャージングルール機能であり、
前記他の通信エンティティはポリシー制御およびチャージング機能が配備されたアクセスゲートウェイであり、
前記送る手段は、前記アクセスゲートウェイにサービス品質ルールを送る手段を備え、
前記サービス品質ルールは、前記アクセスゲートウェイへ移動されるＩＰフローに関連する、［１］の通信エンティティ。
［７］前記通信エンティティは前記ワイヤレスデバイスであり、
前記他の通信エンティティはアクセスゲートウェイであり、
前記送る手段は、前記アクセスゲートウェイへ、ルータ要請メッセージ、ネイバー要請メッセージおよび動的ホスト構成プロトコルメッセージのうちの少なくとも１つを送る手段を備え、
前記ルータ要請／ネイバー要請／動的ホスト構成プロトコルメッセージは、前記ワイヤレスデバイスによって追加され、前記アクセスゲートウェイに割り当てられるＩＰフローについての識別情報を含む、［１］の通信エンティティ。
［８］前記通信エンティティはアクセスゲートウェイであり、
前記他の通信エンティティはパケットデータネットワークゲートウェイであり、
前記送る手段は、前記パケットデータネットワークゲートウェイへプロキシバインディング更新メッセージを送る手段を備え、
前記プロキシバインディング更新メッセージは、前記ワイヤレスデバイスによって追加され、前記アクセスゲートウェイに割り当てられるＩＰフローについての識別情報を含む、［１］の通信エンティティ。
［９］前記通信エンティティはパケットデータネットワークゲートウェイであり、
前記他の通信エンティティはポリシーチャージングルール機能であり、
前記送る手段は、前記ポリシーチャージングルール機能にＩＰ接続アクセスネットワークメッセージを送る手段を備え、
前記ＩＰ接続アクセスネットワークメッセージは、前記ワイヤレスデバイスによって追加されるＩＰフローについての識別情報を含む、［１］の通信エンティティ。
［１０］前記通信エンティティはアクセスゲートウェイであり、
前記他の通信エンティティは前記ワイヤレスデバイスであり、
前記送る手段は、前記ワイヤレスデバイスへ、ルータ広告メッセージ、ネイバー広告メッセージおよび動的ホスト構成プロトコルメッセージのうちの少なくとも１つを送る手段を備え、
前記ルータ広告／ネイバー広告／動的ホスト構成プロトコルメッセージは、前記ワイヤレスデバイスによって追加されるＩＰフローについての情報を含む、［１］の通信エンティティ。
［１１］前記通信エンティティは前記ワイヤレスデバイスであり、
前記他の通信エンティティはアクセスゲートウェイであり、
前記通知する手段は、前記アクセスゲートウェイへ拡張認証プロトコルメッセージを送る手段を備え、
前記拡張認証プロトコルメッセージは、前記ワイヤレスデバイスが前記複数のアクセスゲートウェイへの前記接続のために前記単一のＩＰアドレスを使用しようとしていることを示す、［１］の通信エンティティ。
［１２］前記通信エンティティは前記ワイヤレスデバイスであり、
前記他の通信エンティティはアクセスゲートウェイであり、
前記通知する手段は、前記アクセスゲートウェイへ、ルータ要請メッセージ、ネイバー要請メッセージ、および動的ホスト構成プロトコルメッセージのうちの少なくとも１つを送る手段を備え、
前記ルータ要請／ネイバー要請／動的ホスト構成プロトコルメッセージは、前記ワイヤレスデバイスが前記複数のアクセスゲートウェイへの前記接続のために前記単一のＩＰアドレスを使用しようとしていることを示す、［１］の通信エンティティ。
［１３］前記通信エンティティはアクセスゲートウェイであり、
前記他の通信エンティティはパケットデータネットワークゲートウェイであり、
前記通知する手段は、前記パケットデータネットワークゲートウェイへ、プロキシバインディング更新メッセージを送る手段を備え、
前記プロキシバインディング更新メッセージは、前記ワイヤレスデバイスが前記複数のアクセスゲートウェイへの前記接続のために前記単一のＩＰアドレスを使用しようとしていることを示す、［１］の通信エンティティ。
［１４］前記通信エンティティがパケットデータネットワークゲートウェイであり、
前記通知する手段は、ポリシーチャージングルール機能にＩＰ接続アクセスネットワークメッセージを送る手段を備え、
前記ＩＰ接続アクセスネットワークメッセージは、前記ワイヤレスデバイスが前記複数のアクセスゲートウェイへの前記接続のために前記単一のＩＰアドレスを使用しようとしていることを示す、［１］の通信エンティティ。
［１５］通信エンティティであって、
ワイヤレスデバイスが複数のアクセスゲートウェイへの接続のために単一のインターネットプロトコル（ＩＰ）アドレスを使用しようとしていることを他の通信エンティティに通知し、前記ワイヤレスデバイスの複数のＩＰフローのうちの少なくとも１つに関連する情報を前記他の通信エンティティに送るように構成された回路、を備える通信エンティティ。
［１６］前記通信エンティティはポリシーチャージングルール機能であり、
前記他の通信エンティティはパケットデータネットワークゲートウェイであり、
前記送ることは、前記パケットデータネットワークゲートウェイへ、ＩＰ接続アクセスネットワークメッセージへの応答を送ることを含み、
前記応答は、前記複数のアクセスゲートウェイの間での前記ワイヤレスデバイスの複数のＩＰフローの分配についての情報を含む、［１５］の通信エンティティ。
［１７］前記通信エンティティはパケットデータネットワークゲートウェイであり、
前記他の通信エンティティはアクセスゲートウェイであり、
前記送ることは、前記アクセスゲートウェイへ、プロキシバインディング肯定応答メッセージを送ることを含み、
前記プロキシバインディング肯定応答メッセージは、前記アクセスゲートウェイに移動されるＩＰフローについての識別情報を含む、［１５］の通信エンティティ。
［１８］前記通信エンティティはアクセスゲートウェイであり、
前記他の通信エンティティは前記ワイヤレスデバイスであり、
前記送ることは、前記ワイヤレスデバイスへ、ルータ広告メッセージ、ネイバー広告メッセージ、および動的ホスト構成プロトコルメッセージのうちの少なくとも１つを送ることを含み、
前記ルータ広告／ネイバー広告／動的ホスト構成プロトコルメッセージは、前記アクセスゲートウェイに移動されるＩＰフローについての識別情報を含む、［１５］の通信エンティティ。
［１９］前記通信エンティティはアクセスゲートウェイであり、
前記他の通信エンティティは前記ワイヤレスデバイスであり、
前記送ることは、前記ワイヤレスデバイスへ、ベアラ変更メッセージを送ることを含み、
前記ベアラ変更メッセージは、前記アクセスゲートウェイから移動されるＩＰフローについての識別情報を含む、［１５］の通信エンティティ。
［２０］前記通信エンティティはポリシーチャージングルール機能であり、
前記他の通信エンティティは、ポリシー制御およびチャージング機能が配備されたアクセスゲートウェイであり、
前記送ることは、前記アクセスゲートウェイへサービス品質ルールを送ることを含み、
前記サービス品質ルールは、前記アクセスゲートウェイに移動されるＩＰフローに関連する、［１５］の通信エンティティ。
［２１］前記通信エンティティは前記ワイヤレスデバイスであり、
前記他の通信エンティティはアクセスゲートウェイであり、
前記送ることは、前記アクセスゲートウェイへ、ルータ要請メッセージ、ネイバー要請メッセージおよび動的ホスト構成プロトコルメッセージのうちの少なくとも１つを送ることを含み、
前記ルータ要請／ネイバー要請／動的ホスト構成プロトコルメッセージは、前記ワイヤレスデバイスによって追加され、前記アクセスゲートウェイに割り当てられるＩＰフローについての識別情報を含む、［１５］の通信エンティティ。
［２２］前記通信エンティティはアクセスゲートウェイであり、
前記他の通信エンティティはパケットデータネットワークゲートウェイであり、
前記送ることは、前記パケットデータネットワークゲートウェイにプロキシバインディング更新メッセージを送ることを含み、
前記プロキシバインディング更新メッセージは、前記ワイヤレスデバイスによって追加され、前記アクセスゲートウェイに割り当てられるＩＰフローについての識別情報を含む、［１５］の通信エンティティ。
［２３］前記通信エンティティはパケットデータネットワークゲートウェイであり、
前記他の通信エンティティはポリシーチャージングルール機能であり、
前記送ることは、前記ポリシーチャージングルール機能へ、ＩＰ接続アクセスネットワークメッセージを送ることを備え、
前記ＩＰ接続アクセスネットワークメッセージは、前記ワイヤレスデバイスによって追加されるＩＰフローについての識別情報を含む、［１５］の通信エンティティ。
［２４］前記通信エンティティはアクセスゲートウェイであり、
前記他の通信エンティティは前記ワイヤレスデバイスであり、
前記送ることは、前記ワイヤレスデバイスに、ルータ広告メッセージ、ネイバー広告メッセージおよび動的ホスト構成プロトコルメッセージのうちの少なくとも１つを送ることを備え、
前記ルータ広告／ネイバー広告／動的ホスト構成プロトコルメッセージは、前記ワイヤレスデバイスによって追加されるＩＰフローの情報を含む、［１５］の通信エンティティ。
［２５］前記通信エンティティは前記ワイヤレスデバイスであり、
前記他の通信エンティティはアクセスゲートウェイであり、
前記通知することは、前記アクセスゲートウェイに、拡張認証プロトコルメッセージを送ることを備え、
前記拡張認証プロトコルメッセージは、前記ワイヤレスデバイスが前記複数のアクセスゲートウェイへの前記接続のために前記単一のＩＰアドレスを使用しようとしていることを示す、［１５］の通信エンティティ。
［２６］前記通信エンティティは前記ワイヤレスデバイスであり、
前記他の通信エンティティはアクセスゲートウェイであり、
前記通知することは、前記アクセスゲートウェイに、ルータ要請メッセージ、ネイバー要請メッセージ、および動的ホスト構成プロトコルメッセージのうちの少なくとも１つを送ることを備え、
前記ルータ要請／ネイバー要請／動的ホスト構成プロトコルメッセージは、前記ワイヤレスデバイスが前記複数のアクセスゲートウェイへの前記接続のために前記単一のＩＰアドレスを使用しようとしていることを示す、［１５］の通信エンティティ。
［２７］前記通信エンティティはアクセスゲートウェイであり、
前記他の通信エンティティはパケットデータネットワークゲートウェイであり、
前記通知することは、前記パケットデータネットワークゲートウェイにプロキシバインディング更新メッセージを送ることを備え、
前記プロキシバインディング更新メッセージは、前記ワイヤレスデバイスが前記複数のアクセスゲートウェイへの前記接続のために前記単一のＩＰアドレスを使用しようとしていることを示す、［１５］の通信エンティティ。
［２８］前記通信エンティティはパケットデータネットワークゲートウェイであり、
前記通知することは、ポリシーチャージングルール機能にＩＰ接続アクセスネットワークメッセージを送信することを備え、
前記ＩＰ接続アクセスネットワークメッセージは、前記ワイヤレスデバイスが前記複数のアクセスゲートウェイへの前記接続のために前記単一のＩＰアドレスを使用しようとしていることを示す、［１５］の通信エンティティ。
［２９］マルチインタフェース通信環境における通信エンティティによって実装される、ＩＰフローモビリティのための方法であって、
ワイヤレスデバイスが複数のアクセスゲートウェイへの接続のために単一のインターネットプロトコル（ＩＰ）アドレスを使用しようとしていることを他の通信エンティティに通知することと、
前記ワイヤレスデバイスのＩＰフローのうちの少なくとも１つに関係する情報を前記他の通信エンティティに送ることと、を含む方法。
［３０］前記通信エンティティはポリシーチャージングルール機能であり、
前記他の通信エンティティはパケットデータネットワークゲートウェイであり、
前記送ることは、前記パケットデータネットワークゲートウェイにＩＰ接続アクセスネットワークメッセージへの応答を送ることを備え、
前記応答は、前記複数のアクセスゲートウェイの間での前記ワイヤレスデバイスのＩＰフローの分配に関する情報を含む、［２９］の方法。
［３１］前記通信エンティティはパケットデータネットワークゲートウェイであり、
前記他の通信エンティティはアクセスゲートウェイであり、
前記送ることは、前記アクセスゲートウェイにプロキシバインディング肯定応答メッセージを送ることを備え、
前記プロキシバインディング肯定応答メッセージは、前記アクセスゲートウェイに移動されつつあるＩＰフローの識別情報を含む、［２９］の方法。
［３２］前記通信エンティティはアクセスゲートウェイであり、
前記他の通信エンティティは前記ワイヤレスデバイスであり、
前記送信することは、前記ワイヤレスデバイスに、ルータ広告メッセージ、ネイバー広告メッセージ、および動的ホスト構成プロトコルメッセージのうちの少なくとも１つを送ることを備え、
前記ルータ広告／ネイバー広告／動的ホスト構成プロトコルメッセージは、前記アクセスゲートウェイに移動されるＩＰフローの識別情報を含む、［２９］の方法。
［３３］前記通信エンティティはアクセスゲートウェイであり、
前記他の通信エンティティは前記ワイヤレスデバイスであり、
前記送信することは、前記ワイヤレスデバイスにベアラ変更メッセージを送ることを備え、
前記ベアラ変更メッセージは、前記アクセスゲートウェイから移動されるＩＰフローの識別情報を備える、［２９］の方法。
［３４］前記通信エンティティはポリシーチャージングルール機能であり、
前記他の通信エンティティは、ポリシーチャージング機能が配備されたアクセスゲートウェイであり、
前記送信することは、前記アクセスゲートウェイにサービス品質ルールを送ることを備え、
前記サービス品質ルールは、前記アクセスゲートウェイに移動されるＩＰフローに関連する、［２９］の方法。
［３５］前記通信エンティティは前記ワイヤレスデバイスであり、
前記他の通信エンティティはアクセスゲートウェイであり、
前記送ることは、前記アクセスゲートウェイに、ルータ要請メッセージ、ネイバー要請メッセージおよび動的ホスト構成プロトコルメッセージのうちの少なくとも１つを送ることを備え、
前記ルータ要請／ネイバー要請／動的ホスト構成プロトコルメッセージは、前記ワイヤレスデバイスによって追加され、前記アクセスゲートウェイに割り当てられるＩＰフローの識別情報を含む、［２９］の方法。
［３６］前記通信エンティティはアクセスゲートウェイであり、
前記他の通信エンティティはパケットデータネットワークゲートウェイであり、
前記送ることは、前記パケットデータネットワークゲートウェイにプロキシバインディング更新メッセージを送ることを備え、
前記プロキシバインディング更新メッセージは、前記ワイヤレスデバイスによって追加され、前記アクセスゲートウェイに割り当てられるＩＰフローの識別情報を含む、［２９］の方法。
［３７］前記通信エンティティはパケットデータネットワークゲートウェイであり、
前記他の通信エンティティはポリシーチャージングルール機能であり、
前記送ることは、前記ポリシーチャージングルール機能にＩＰ接続アクセスネットワークメッセージを送ることを備え、
前記ＩＰ接続アクセスネットワークメッセージは、前記ワイヤレスデバイスによって追加されるＩＰフローの識別情報を含む、［２９］の方法。
［３８］前記通信エンティティはアクセスゲートウェイであり、
前記他の通信エンティティは前記ワイヤレスデバイスであり、
前記送ることは、前記ワイヤレスデバイスへ、ルータ広告メッセージ、ネイバー広告メッセージおよび動的ホスト構成プロトコルメッセージのうちの少なくとも１つを送ることを備え、
前記ルータ広告／ネイバー広告／動的ホスト構成プロトコルメッセージは、前記ワイヤレスデバイスによって追加されるＩＰフローの情報を含む、［２９］の方法。
［３９］前記通信エンティティは前記ワイヤレスデバイスであり、
前記他の通信エンティティはアクセスゲートウェイであり、
前記通知することは、前記アクセスゲートウェイへ拡張認証プロトコルメッセージを送ることを備え、
前記拡張認証プロトコルメッセージは、前記ワイヤレスデバイスが前記複数のアクセスゲートウェイへの前記接続のために前記単一のＩＰアドレスを使用しようとしていることを示す、［２９］の方法。
［４０］前記通信エンティティは前記ワイヤレスデバイスであり、
前記他の通信エンティティはアクセスゲートウェイであり、
前記通知することは、前記アクセスゲートウェイへ、ルータ要請メッセージ、ネイバー要請メッセージ、および動的ホスト構成プロトコルメッセージのうちの少なくとも１つを送ることを備え、
前記ルータ要請／ネイバー要請／動的ホスト構成プロトコルメッセージは、前記ワイヤレスデバイスが前記複数のアクセスゲートウェイへの前記接続のために前記単一のＩＰアドレスを使用しようとしていることを示す、［２９］の方法。
［４１］前記通信エンティティはアクセスゲートウェイであり、
前記他の通信エンティティはパケットデータネットワークゲートウェイであり、
前記通知することは、前記パケットデータネットワークゲートウェイへプロキシバインディング更新メッセージを送ることを備え、
前記プロキシバインディング更新メッセージは、前記ワイヤレスデバイスが前記複数のアクセスゲートウェイへの前記接続のために前記単一のＩＰアドレスを使用しようとしていることを示す、［２９］の方法。
［４２］前記通信エンティティはパケットデータネットワークゲートウェイであり、
前記通知することは、ポリシーチャージングルール機能にＩＰ接続アクセスネットワークメッセージを送ることを備え、
前記ＩＰ接続アクセスネットワークメッセージは、前記ワイヤレスデバイスが前記複数のアクセスゲートウェイへの前記接続のために前記単一のＩＰアドレスを使用しようとしていることを示す、［２９］の方法。
［４３］マルチインタフェース通信環境における通信エンティティのためのコンピュータプログラム製品であって、前記コンピュータプログラム製品は、命令を有するコンピュータ可読媒体を含み、前記命令は、
ワイヤレスデバイスが複数のアクセスゲートウェイへの接続のために単一のインターネットプロトコル（ＩＰ）アドレスを使用しようとしていることを他の通信エンティティに通知するためのコードと、
前記ワイヤレスデバイスのＩＰフローのうちの少なくとも１つに関係する情報を前記他の通信エンティティに送るためのコードと、
を含む、コンピュータプログラム製品。
［４４］前記通信エンティティはポリシーチャージングルール機能であり、
前記他の通信エンティティはパケットデータネットワークゲートウェイであり、
前記送るためのコードは、前記パケットデータネットワークゲートウェイにＩＰ接続アクセスネットワークメッセージへの応答を送るためのコードを含み、
前記応答は、前記複数のアクセスゲートウェイの間での前記ワイヤレスデバイスのＩＰフローの分配に関する情報を含む、［４３］のコンピュータプログラム製品。
［４５］前記通信エンティティはパケットデータネットワークゲートウェイであり、
前記他の通信エンティティはアクセスゲートウェイであり、
前記送るためのコードは、前記アクセスゲートウェイへプロキシバインディング肯定応答メッセージを送るためのコードを含み、
前記プロキシバインディング肯定応答メッセージは、前記アクセスゲートウェイに移動されるＩＰフローの識別情報を含む、［４３］のコンピュータプログラム製品。
［４６］前記通信エンティティはアクセスゲートウェイであり、
前記他の通信エンティティは前記ワイヤレスデバイスであり、
前記送るためのコードは、前記ワイヤレスデバイスへ、ルータ広告メッセージ、ネイバー広告メッセージ、および動的ホスト構成プロトコルメッセージのうちの少なくとも１つを送るためのコードを含み、
前記ルータ広告／ネイバー広告／動的ホスト構成プロトコルメッセージは、前記アクセスゲートウェイに移動されるＩＰフローの識別情報を含む、［４３］のコンピュータプログラム製品。
［４７］前記通信エンティティはアクセスゲートウェイであり、
前記他の通信エンティティは前記ワイヤレスデバイスであり、
前記送るためのコードは、前記ワイヤレスデバイスへ、ベアラ変更メッセージを送るためのコードを含み、
前記ベアラ変更メッセージは、前記アクセスゲートウェイから移動されるＩＰフローの識別情報を含む、［４３］のコンピュータプログラム製品。
［４８］前記通信エンティティはポリシーチャージングルール機能であり、
前記他の通信エンティティは、ポリシー制御およびチャージング機能が配備されたアクセスゲートウェイであり、
前記送るためのコードは、前記アクセスゲートウェイへサービス品質ルールを送るためのコードを含み、
前記サービス品質ルールは、前記アクセスゲートウェイに移動されるＩＰフローに関連する、［４３］のコンピュータプログラム製品。
［４９］前記通信エンティティは前記ワイヤレスデバイスであり、
前記他の通信エンティティはアクセスゲートウェイであり、
前記送信するためのコードは、前記アクセスゲートウェイへ、ルータ要請メッセージ、ネイバー要請メッセージおよび動的ホスト構成プロトコルメッセージのうちの少なくとも１つを送ためのコードを含み、
前記ルータ要請／ネイバー要請／動的ホスト構成プロトコルメッセージは、前記ワイヤレスデバイスによって追加され、前記アクセスゲートウェイに割り当てられるＩＰフローの識別情報を含む、［４３］のコンピュータプログラム製品。
［５０］前記通信エンティティはアクセスゲートウェイであり、
前記他の通信エンティティはパケットデータネットワークゲートウェイであり、
前記送信するためのコードは、前記パケットデータネットワークゲートウェイにプロキシバインディング更新メッセージを送信するためのコードを含む、
前記プロキシバインディング更新メッセージは、前記ワイヤレスデバイスによって追加され、前記アクセスゲートウェイに割り当てられるＩＰフローの識別情報を含む、［４３］のコンピュータプログラム製品。
【図１】
0005453430.tif 000002
【図２】
0005453430.tif 000003
【図３】
0005453430.tif 000004
【図４】
0005453430.tif 000005
【図５】
0005453430.tif 000006
【図６】
0005453430.tif 000007
【図７】
0005453430.tif 000008
【図８】
0005453430.tif 000009